(57)【要約】【課題】締結装置及びそのひも取付方法を提供する。【解決手段】締結装置１００は、外殻２００、ボビン３００、ノブ５００及び回り止めユニット４００からなり、外殻２００が係合部２５０を含み、ボビン３００が外殻２００に設けられ、ひも６００を巻き取ることに用いられ、ノブ５００が係止部５４０を含み、係合部２５０と噛み合ってノブ５００を外殻２００に結合させるようにし、回り止めユニット４００がノブ５００に結合され、ノブ５００により駆動される。外殻２００に対してノブ５００を回動させて回り止めユニット４００を第１の位置から第２の位置に切り替えるように連動させて、回り止めユニット４００が第１の位置にある場合、ボビン３００の係脱方向Ａ１への回動を制限し、回り止めユニット４００が第２の位置にある場合、ボビン３００の係脱方向Ａ１への回動を許容する。【選択図】図２Ｂ
2019526514.tif 000002
【特許請求の範囲】
【請求項１】
ひもを締緩するための締結装置であって、
係合部を含む外殻と、
前記外殻に設けられ、前記ひもを巻き取るためのボビンと、
前記外殻に結合されるように前記係合部に噛み合う係止部を含むノブと、
前記ノブに結合され、前記ノブにより駆動される回り止めユニットと、
を備え、
前記外殻に対して前記ノブを回動させて前記回り止めユニットを第１の位置から第２の位置に切り替えるように連動させ、
前記回り止めユニットが前記第１の位置にある場合、前記ボビンに結合されて前記ボビンの係脱方向への回動を制限して、
前記回り止めユニットが前記第２の位置にある場合、前記ボビンの前記係脱方向への回動を許容することを特徴とする締結装置。
【請求項２】
前記回り止めユニットは、
径方向を有する環状本体と、
前記ノブに結合されるように前記環状本体に設けられ、前記径方向に沿う復帰能力を有する第１の保持部及び第２の保持部と、
を含むことを特徴とする請求項１に記載の締結装置。
【請求項３】
前記回り止めユニットは、前記環状本体に設けられるラチェットアームを更に備え、
前記外殻がサイドリング歯を含み、
前記回り止めユニットが前記第１の位置にある場合、
前記ラチェットアームが前記サイドリング歯と前記係脱方向で噛み合って前記ボビンの回動を制限し、前記ラチェットアームと前記サイドリング歯とが前記係脱方向とは反対の引き締め方向で絶え間なく係脱することを特徴とする請求項２に記載の締結装置。
【請求項４】
前記回り止めユニットは、前記環状本体に設けられるラチェットアームを更に含み、
前記ラチェットアームが前記径方向に沿って前記環状本体から外へ突出し、
前記第１の保持部及び前記第２の保持部が前記径方向に沿って前記環状本体から内へ突出することを特徴とする請求項２に記載の締結装置。
【請求項５】
前記ノブは、それぞれ前記第１の保持部及び前記第２の保持部に結合される２つのバンプを含み、
前記ノブが前記回り止めユニットを前記第１の位置から前記第２の位置に切り替えるように連動させる場合、
前記２つのバンプがそれぞれ前記第１の保持部及び前記第２の保持部を前記径方向に沿って変位させるように押し付けることを特徴とする請求項４に記載の締結装置。
【請求項６】
前記外殻は、下開口及び２つのサイドホールを有するケースを備え、
前記ボビンは、
第１の開口及び第２の開口を含む軸心柱と、
前記軸心柱を設けることに用いられ、第１の結び目孔、第１の引き出し孔、第２の結び目孔及び第２の引き出し孔を含み、前記第１の結び目孔及び前記第１の引き出し孔が前記第１の開口と連通し、前記第２の結び目孔及び前記第２の引き出し孔が前記第２の開口と連通するシート部と、
を備え、
前記ひもの一端が１つの前記サイドホール、前記第１の開口、前記第１の結び目孔及び前記第１の引き出し孔を貫通して前記下開口から露出し、
前記ひもの他端が別の前記サイドホール、前記第２の開口、前記第２の結び目孔及び前記第２の引き出し孔を貫通して前記下開口から露出することを特徴とする請求項１に記載の締結装置。
【請求項７】
ひもを締緩するための締結装置であって、
ケースとベースを含む外殻と、
前記ケースに設けられ、前記ひもを巻き取るためのボビンと、
前記ケースをカバーするノブと、
前記ボビンに結合される回り止めユニットと、
を備え、
前記ケースが係合部を有し、前記ベースが前記ケースの設置に用いられ、
前記ボビンが、内壁と、前記内壁に設けられ、前記ノブが前記ケースに結合されるように前記係合部に噛み合う係止部と、前記内壁に設けられる螺旋状レールと、を含み、
前記回り止めユニットが、前記螺旋状レールに結合されて前記ノブにより駆動されるガイド部を含み、
前記外殻に対して前記ノブを回動させて前記ガイド部を前記螺旋状レール内に位置制限させて移動させ、前記回り止めユニットが第１の位置から第２の位置に切り替えるようにし、
前記回り止めユニットが前記第１の位置にある場合、前記ボビンの係脱方向への回動を制限し、
前記回り止めユニットが前記第２の位置にある場合、前記ボビンの前記係脱方向への回動を許容することを特徴とする締結装置。
【請求項８】
前記回り止めユニットは、
径方向を有する環状本体と、
前記ノブに結合されるように前記環状本体に設けられ、前記径方向に沿う復帰能力を有する第１の保持部及び第２の保持部と、
を含むことを特徴とする請求項７に記載の締結装置。
【請求項９】
前記回り止めユニットは、前記環状本体に設けられるラチェットアームを更に含み、
前記ラチェットアームが前記径方向に沿って前記環状本体から外へ突出し前記ケースのサイドリング歯と分離可能に噛み合い、
前記第１の保持部及び前記第２の保持部が前記径方向に沿って前記環状本体から内へ突出し、それぞれ前記ノブの２つのバンプと分離可能に噛み合うことを特徴とする請求項８に記載の締結装置。
【請求項１０】
前記ケースは、下開口及び２つのサイドホールを含み、
前記ボビンは、
第１の開口及び第２の開口を含む軸心柱と、
前記軸心柱を設けることに用いられ、第１の結び目孔、第１の引き出し孔、第２の結び目孔及び第２の引き出し孔を含み、前記第１の結び目孔及び前記第１の引き出し孔が前記第１の開口と連通し、前記第２の結び目孔及び前記第２の引き出し孔が前記第２の開口と連通するシート部と、を備え、
前記ひもの一端が１つの前記サイドホール、前記第１の開口、前記第１の結び目孔及び前記第１の引き出し孔を貫通して前記下開口から露出し、
前記ひもの他端が別の前記サイドホール、前記第２の開口、前記第２の結び目孔及び前記第２の引き出し孔を貫通して前記下開口から露出することを特徴とする請求項７に記載の締結装置。
【請求項１１】
ひもを締結装置に接続するためのひも取付方法であって、
係合部を有するケースを含む外殻と、前記ケース内に設けられるボビンと、前記係合部の噛み合いに用いられる係止部を含むノブと、前記ボビン及び前記ノブに結合される回り止めユニットと、を備える締結装置を提供する工程と、
前記ひもの一端及び他端をそれぞれ前記ケース及び前記ボビンを貫通させて前記外殻から露出させて、使用者が前記一端及び前記他端を結んで前記ボビンに結合するためのひも結合工程と、
を含むことを特徴とするひも取付方法。
【請求項１２】
前記ケースは、２つのサイドホール及び下開口を更に含み、
前記ボビンは、軸心柱及びシート部を含み、
前記軸心柱が第１の開口及び第２の開口を有し、
前記シート部は、前記軸心柱の設置に用いられ、第１の結び目孔、第１の引き出し孔、第２の結び目孔及び第２の引き出し孔を含み、前記第１の結び目孔及び前記第１の引き出し孔が前記第１の開口と連通し、前記第２の結び目孔及び前記第２の引き出し孔が前記第２の開口と連通し、
前記ひも結合工程の場合、前記ひもの前記一端を１つの前記サイドホール、前記第１の開口、前記第１の結び目孔及び前記第１の引き出し孔を貫通させて前記下開口から露出させて前記使用者が前記一端を結ぶことに用いられ、
及び前記ひもの前記他端を別の前記サイドホール、前記第２の開口、前記第２の結び目孔及び前記第２の引き出し孔を貫通させて前記下開口から露出させて前記使用者が前記他端を結ぶことに用いられることを特徴とする請求項１１に記載のひも取付方法。
【発明の詳細な説明】
【技術分野】
【０００１】
本発明は、締結装置及びそのひも取付方法に関し、特に、ひもを締緩することで対象物を締結する締結装置及びそのひも取付方法に関する。
【背景技術】
【０００２】
日常生活の中では、対象物を締め付けるために、ロープやひもがよく使用される。
締め付け手段としては、例えば、紐ありシューズのように、糸を使用して対象物における穴を往復して貫通して、結び目等で固定するものが最もよく見られる。
しかし、このような締め付け方法では、外力の要素により、結び目が緩くなりやすく、結び目を改めて締め付ける必要があるだけでなく、対象物を安定的に締め付けることができないので、非常に不便になる。
【０００３】
このような課題を解決するために、簡易な締めひも構造が当業者によって提供される。
その締めひも構造は、ケース、回り止めユニット及びバネを含み、ケースにひもを通過させるための貫通孔を有し、バネと回り止めユニットとの間の作用力によってひもが回り止めユニットとケースとの間に挟まって締結効果を達成させる。バネを押し付けて回り止めユニット位置を変えると、ひもを引いてその長さを変えることができる。
しかし、このような締めひも構造は、バネの復帰力によって締結力を提供するものであるため、依然として震動や外部要因によってひもが緩くなりやすく、またひもを収納する空間がないため、ひもの露出により危険になりやすい。
【０００４】
その解決のため、締めひもを回転可能に締め付けて固定する別の留め具が当業者によって開発されている。それは、そのひもが留め具の内部に収納され、内部部材の機械的干渉によってひもの長さを調整すると共に、締め付ける締め付け具合を調整することができるというものである。
しかし、このような留め具は、構造が複雑であり、製造コストが向上するとともに、組み立てやメンテナンスが困難であるという問題がある。
【発明の概要】
【発明が解決しようとする課題】
【０００５】
これに鑑みて、如何に留め具構造を簡素化し、製造コストを低下させ、留め具の締結能力を保持するかが、出願人が解決を目指す目標となる。
【課題を解決するための手段】
【０００６】
本発明は、締結装置の構造配置によって、構造を簡素化し、締結装置の締結能力を維持すると共に、ひもが締結装置の組立後にまたボビンに結合されることができ、より便利な適用を達成できる締結装置及びそのひも取付方法を提供する。
【０００７】
本発明の一実施例によれば、ひもを締緩するための締結装置であって、
係合部を含む外殻と、
外殻に設けられ、ひもを巻き取るためのボビンと、
外殻に結合されるように係合部に噛み合う係止部を含むノブと、
ノブに結合されノブにより駆動される回り止めユニットと、を備え、
外殻に対してノブを回動させて回り止めユニットを第１の位置から第２の位置に切り替えるように連動させ、
回り止めユニットが第１の位置にある場合、ボビンに結合されてボビンの係脱方向への回動を制限して、
回り止めユニットが第２の位置にある場合、ボビンの係脱方向への回動を許容することを特徴とする締結装置を提供する。
【０００８】
これにより、締結装置は、外殻、ボビン、ノブ及び回り止めユニットだけからなり、
外殻とノブとの間の係合関係によって、従来品のケースから貫通してノブに接続される銅柱又はプラスチックカラムを略してよく、締結装置の構造を簡素化し締結装置の締結能力を保持する目的を達成できる。
【０００９】
前記の締結装置によれば、
回り止めユニットは、環状本体及び第１の保持部及び第２の保持部を含んでもよく、
環状本体が径方向をし、第１の保持部及び第２の保持部が環状本体に設けられノブに結合され、第１の保持部及び第２の保持部が径方向に沿う復帰能力を有する。
回り止めユニットは、環状本体に設けられるラチェットアームを更に含んでもよく、
外殻がサイドリング歯を含み、回り止めユニットが第１の位置にある場合、ラチェットアームとサイドリング歯が係脱方向で噛み合ってボビンの回動を制限し、ラチェットアームとサイドリング歯とが係脱方向に反対する引き締め方向で絶え間なく係脱する。
又は回り止めユニットは、環状本体に設けられるラチェットアームを更に含んでもよく、ラチェットアームが径方向に沿って環状本体から外へ突出し、第１の保持部及び第２の保持部が径方向に沿って環状本体から内へ突出する。
【００１０】
前記の締結装置によれば、
ノブは、それぞれ第１の保持部及び第２の保持部に結合される２つのバンプを更に含んでもよく、ノブが回り止めユニットを第１の位置から第２の位置に切り替えるように連動させる場合、バンプがそれぞれ第１の保持部及び第２の保持部が径方向に沿って変位させるように押し付ける。
外殻が、下開口及び２つのサイドホールを有するケースを備えてもよく、ボビンが軸心柱及びシート部を含み、軸心柱が第１の開口及び第２の開口を含み、シート部が軸心柱を設けることに用いられ、シート部が第１の結び目孔、第１の引き出し孔、第２の結び目孔及び第２の引き出し孔を含み、第１の結び目孔及び第１の引き出し孔が第１の開口と連通し、第２の結び目孔及び第２の引き出し孔が第２の開口と連通し、ひもの一端が１つのサイドホール、第１の開口、第１の結び目孔及び第１の引き出し孔を貫通して下開口から露出し、ひもの他端が別のサイドホール、第２の開口、第２の結び目孔及び第２の引き出し孔を貫通して下開口から露出する。
【００１１】
本発明の別の実施例によれば、
ひもを締緩するための締結装置であり、外殻、ボビン、ノブ及び回り止めユニットからなり、
外殻が、係合部を有するケースと、ケースを設けるためのベースとを含み、
ボビンがケースに設けられひもを巻き取ることに用いられ、
ノブがケースをカバーし内壁、係止部及び螺旋状レールを含み、
係止部が内壁に設けられノブをケースに結合させるように係合部と噛み合い、
螺旋状レールが内壁に設けられ、
回り止めユニットがボビンに結合され、螺旋状レールに結合されてノブにより駆動されるガイド部を含み、
外殻に対してノブを回動させてガイド部が螺旋状レール内に位置制限させて移動させ、回り止めユニットを第１の位置から第２の位置に切り替えるようにし、
回り止めユニットが第１の位置にある場合、ボビンの係脱方向への回動を制限し、
回り止めユニットが第２の位置にある場合、ボビンの係脱方向への回動を許容する締結装置を提供する。
【００１２】
前記の締結装置によれば、
回り止めユニットは、環状本体、第１の保持部及び第２の保持部を含んでよく、
環状本体が径方向を有し、第１の保持部及び第２の保持部が環状本体に設けられノブに結合され、第１の保持部及び第２の保持部が径方向に沿う復帰能力を有する。
回り止めユニットは、ラチェットアームに設けられる環状本体を含んでよく、ラチェットアームが径方向に沿って環状本体から外へ突出し、ケースのサイドリング歯と分離可能に噛み合い、第１の保持部及び第２の保持部が径方向に沿って環状本体から内へ突出し、それぞれノブの２つのバンプと分離可能に噛み合う。
ケースは、下開口及び２つのサイドホールを含んでよく、
ボビンが軸心柱及びシート部を含み、
軸心柱が第１の開口及び第２の開口を含み、
シート部が軸心柱の設置に用いられ、第１の結び目孔、第１の引き出し孔、第２の結び目孔及び第２の引き出し孔を含み、第１の結び目孔及び第１の引き出し孔が第１の開口と連通し、第２の結び目孔及び第２の引き出し孔が第２の開口と連通する。
ひもの一端が１つのサイドホール、第１の開口、第１の結び目孔及び第１の引き出し孔を貫通して下開口から露出し、ひもの他端が別のサイドホール、第２の開口、第２の結び目孔及び第２の引き出し孔を貫通して下開口から露出する。
【００１３】
本発明のまた１つの実施例によれば、
ひもを締結装置に接続するためのひも取付方法であり、
係合部を有するケースを含む外殻と、
ケース内に設けられるボビンと、
係合部の噛み合いに用いられる係止部を含むノブと、
ボビン及びノブに結合される回り止めユニットと、を備える締結装置を提供する工程と、
ひもの一端及び他端をそれぞれケース及びボビンを貫通させて外殻から露出させて、使用者が一端及び他端を結んでボビンに結合するためのひも結合工程と、を含むひも取付方法を提供する。
【００１４】
前記のひも取付方法によれば、
ケースは、２つのサイドホールを更に含んでもよく、
ボビンが軸心柱及びシート部を含み、
軸心柱が第１の開口及び第２の開口を含み、
シート部が軸心柱の設置に用いられ、第１の結び目孔、第１の引き出し孔、第２の結び目孔及び第２の引き出し孔を含み、
第１の結び目孔及び第１の引き出し孔が第１の開口と連通し、
第２の結び目孔及び第２の引き出し孔が第２の開口と連通し、
ひも結合工程の場合、ひもの一端を１つのサイドホール、第１の開口、第１の結び目孔及び第１の引き出し孔を貫通させて下開口から露出させて使用者が一端を結ぶことに用いられ、
及びひもの他端を別のサイドホール、第２の開口、第２の結び目孔及び第２の引き出し孔を貫通させて下開口から露出させて使用者が他端を結ぶことに用いられる。
【図面の簡単な説明】
【００１５】
【図１】本発明の一実施形態による締結装置を模式的に示す斜視図である。
【図２Ａ】図１による締結装置を下側から模式的に示す分解図である。
【図２Ｂ】図１による締結装置を上側から模式的に示す分解図である。
【図３Ａ】図１による締結装置のひも取付過程を模式的に示す断面図である。
【図３Ｂ】図１による締結装置のひも取付過程を模式的に示す断面図である。
【図３Ｃ】図１による締結装置のひも取付過程を模式的に示す断面図である。
【図４Ａ】図１による締結装置の切断線４−４に沿う模式的な断面図である。
【図４Ｂ】図１による締結装置の切断線４−４に沿う別の模式的な断面図である。
【図５Ａ】図１による締結装置の切断線５−５に沿う模式的な断面図である。
【図５Ｂ】図１による締結装置の切断線５−５に沿う別の模式的な断面図である。
【図６】本発明の別の実施形態による締結装置を模式的に示す斜視図である。
【図７Ａ】図６の締結装置を下側から模式的に示す分解図である。
【図７Ｂ】図６の締結装置を上側から模式的に示す分解図である。
【図８Ａ】本発明の更に１つの実施形態による締結装置のボビンを示す斜視図である。
【図８Ｂ】図８Ａのボビンを模式的に示す断面図である。
【図９】本発明のまた他の実施形態によるひも取付方法の工程を示すフロー図である。
【発明を実施するための形態】
【００１６】
以下、添付図面に合わせて本発明の実施形態を説明する。明らかに説明するために、数多くの実際の細部を以下の説明で併せて説明する。
しかしながら、これらの実際の細部は本発明を制限するためのものではないことが理解すべきである。つまり、本発明の一部の実施例において、これらの実際の細部は必要なものではない。
そのほか、図面を簡略化するために、ある従来品の構造と素子を図面において簡単に模式的に示す。また、同一の素子は同一の番号で示すことがある。
【００１７】
図１、図２Ａ及び図２Ｂを参照されたい。
図１は、本発明の一実施形態による締結装置１００を模式的に示す斜視図である。
図２Ａは、図１による締結装置１００を下側から模式的に示す分解図である。
図２Ｂは、図１による締結装置１００を上側から模式的に示す分解図である。
【００１８】
締結装置１００は、ひも６００を締緩することに用いられ、外殻２００と、ボビン３００と、ノブ５００と、回り止めユニット４００と、を備える。
外殻２００は、係合部２５０を含む。ボビン３００は、外殻２００に設けられ、ひも６００を巻き取ることに用いられる。
ノブ５００は、外殻２００に結合されるように、係合部２５０に噛み合う係止部５４０を含む。
回り止めユニット４００は、ノブ５００に結合されノブ５００により駆動される。
回り止めユニット４００を第１の位置から第２の位置に切り替えるように連動させるために、外殻２００に対してノブ５００を回動させる。
回り止めユニット４００が第１の位置にある場合、ボビン３００の係脱方向Ａ１への回動を制限するようにボビン３００に結合されるが、回り止めユニット４００が第２の位置にある場合、ボビン３００の係脱方向Ａ１への回動を許容する。
【００１９】
これにより、締結装置１００は、外殻２００、ボビン３００、ノブ５００及び回り止めユニット４００からなり、外殻２００とノブ５００との間の係合関係によって、締結装置１００の構造を簡素化し、締結装置１００の締結能力を保持する目的を達成できる。
後で、締結装置１００の細部構造及び作動形態をより詳しく説明する。
【００２０】
外殻２００は、シェル構造であり、ケース２６０を含む。
ケース２６０は、収納空間２１０、サイドリング歯２３０、２つのサイドホール２２０及び下開口２４０を含む。
サイドリング歯２３０は、収納空間２１０に向かう。
２つのサイドホール２２０及び下開口２４０の何れも収納空間２１０と連通する。
係合部２５０は、ケース２６０から外へ環状となるように突出する。
本実施例においては、下開口２４０の開口径がボビン３００の直径より小さいので、ボビン３００がケース２６０の収納空間２１０に置かれると、下開口２４０から落ちることはない。
【００２１】
ボビン３００は、ディスク構造になり、軸心柱３２０及びシート部３１０を含む。
軸心柱３２０は、第１の開口３２１及び第２の開口３２２を含む。
シート部３１０は、軸心柱３２０を設けることに用いられ、第１の結び目孔３１１、第１の引き出し孔３１２、第２の結び目孔３１３及び第２の引き出し孔３１４を含み、第１の結び目孔３１１及び第１の引き出し孔３１２が第１の開口３２１と連通し、第２の結び目孔３１３及び第２の引き出し孔３１４が第２の開口３２２と連通する。
ひも６００は、両端が第１の開口３２１及び第２の開口３２２を通り抜いてボビン３００に結合されることができ、軸心柱３２０に巻回される。
なお、ボビン３００は、回り止めユニット４００に結合されるための複数の噛合歯３３０を更に含む。
【００２２】
回り止めユニット４００は、環状本体４８０、第１の保持部４１０、第２の保持部４２０、３つのガイド部４３０、４つのストッパー部４４１、４４２、４４３、４４４、連通孔４５０、複数の係合歯４６０及び３つのラチェットアーム４７０を含む。
環状本体４８０は、径方向を有する。
第１の保持部４１０及び第２の保持部４２０は、ノブ５００に結合されるように環状本体４８０に設けられる。
ガイド部４３０は、環状本体４８０から径方向に沿って外へ突出する斜歯構造であり、ノブ５００に結合されることに用いられる。
ラチェットアーム４７０は、環状本体４８０に設けられ、径方向に沿って環状本体４８０から外へ突出し、サイドリング歯２３０に噛み合うことに用いられる。
第１の保持部４１０及び第２の保持部４２０は、径方向に沿って環状本体４８０から内へ突出し、つまり環状本体４８０の中心へ突出する。
係合歯４６０は、連通孔４５０のボビン３００に近い側の孔壁に設けられる。
４つのストッパー部４４１、４４２、４４３、４４４は、連通孔４５０のノブ５００に近い側の孔壁から環状本体４８０の中心へ径方向に沿って突出してなり、ストッパー部４４１、４４３の位置が対応し、ストッパー部４４２、４４４の位置が対応する。
【００２３】
第１の保持部４１０及び第２の保持部４２０は、径方向に沿って変位することができ、復帰能力を有する。
より詳しくは、第１の保持部４１０が第１の自由端４１１を有し、第２の保持部４２０が第２の自由端４２１を有する。
第１の自由端４１１及び第２の自由端４２１の受ける外力による圧迫がその耐えられる力よりも大きい場合、径方向に沿う移動変位が発生するが、
外力が解除される場合、第１の自由端４１１及び第２の自由端４２１が復帰する。
【００２４】
ノブ５００は、上記の係止部５４０に加え、ピラー５１０、２つのバンプ５２１、５２２（図２Ｂ参照）及び螺旋状レール５３０を含む。
ピラー５１０は、回り止めユニット４００へ突出する。
２つのバンプ５２１、５２２は、位置が互いに対称であるように、径方向にピラー５１０に設けられる。
ピラー５１０及びバンプ５２１、５２２は、組立時に連通孔４５０内に入る。
回り止めユニット４００が第１の位置にある場合、バンプ５２１と第１の保持部４１０とが互いに当接し、バンプ５２２と第２の保持部４２０とが互いに当接する。
螺旋状レール５３０は、ガイド部４３０に結合されるように、ノブ５００の内壁（未図示）に設けられる。
係止部５４０も内壁に設けられ、係合部２５０に対応して凹溝状になる。
【００２５】
図３Ａ〜図３Ｃを参照されたい。図３Ａ〜図３Ｃは、図１による締結装置１００のひも６００の取付過程を模式的に示す断面図である。
締結装置１００を取り付ける場合、まず、ボビン３００を外殻２００内に置き、及び回り止めユニット４００とノブ５００とを結合してから、ノブ５００を外殻２００にカバーし、ノブ５００における係止部５４０と外殻２００における係合部２５０とを噛み合わせるように力を与え、締結装置１００の組立を完成することができる。
【００２６】
ひも６００をボビン３００に結合しようとする場合、図３Ａに示すように、
ひも６００の一端（未図示）を一方のサイドホール２２０、第２の開口３２２、第２の結び目孔３１３及び第２の引き出し孔３１４を貫通させ、最後、ひも６００の前記端を下開口２４０から露出させてよい。
図３Ｂに示すように、この場合、使用者（未図示）は、下開口２４０から露出するひも６００を結び目６１０及び糸端（未図示）となるように結び、次に、図３Ｃに示すように、第２の開口３２２の側からひも６００を引くと、結び目６１０が第２の結び目孔３１３に引かれて第２の結び目孔３１３内に位置制限され、糸端が第２の引き出し孔３１４に残り、下開口２４０から露出しない。
【００２７】
類似的に、ひも６００の他端（つまり、前記端に反対する他端）も、他方のサイドホール２２０、第１の開口３２１、第１の結び目孔３１１及び第１の引き出し孔３１２を貫通して、下開口２４０から露出し、また使用者によって下開口２４０から露出するひも６００を別の結び目及び別の糸端（未図示）となるように結び、最後、この別の結び目を第１の結び目孔３１１内に位置制限させ、この別の糸端を第１の引き出し孔３１２に残す。
【００２８】
図２Ａ及び図２Ｂに合わせて、図４Ａ及び図４Ｂを参照されたい。
図４Ａは、図１による締結装置１００の切断線４−４に沿う模式的な断面図である。
図４Ｂは、図１による締結装置１００の切断線４−４に沿う別の模式的な断面図である。
【００２９】
図４Ａに示すように、ガイド部４３０（図２Ｂ参照）は、螺旋状レール５３０（図２Ａ参照）に位置制限されて移動されることができる。つまり、ノブ５００が回り止めユニット４００に対して回転する場合、ガイド部４３０が螺旋状レール５３０に沿って移動するので、回り止めユニット４００は、ノブ５００に対して上がり又は下がる。
図３Ａに示すように、回り止めユニット４００が第１の位置にあり、この場合、ラチェットアーム４７０（図２Ｂ参照）とサイドリング歯２３０（図２Ｂ参照）とが対応し、係合歯４６０（図２Ａ参照）が噛合歯３３０（図２Ｂ参照）に噛み合う。
ラチェットアーム４７０の構造関係によって、引き締め方向Ａ２（図２Ｂ参照）でサイドリング歯２３０から絶え間なく係脱して係脱方向Ａ１（図２Ｂ参照）でサイドリング歯２３０に噛合うため、引き締め方向Ａ２へノブ５００を回動させて回り止めユニット４００がボビン３００を連動するように連動して、ひも６００が巻き取る。
また、ノブ５００の回動が中止する場合、ラチェットアーム４７０とサイドリング歯２３０が噛合ってボビン３００の係脱方向Ａ１への回転を制限して、締結作用を達成する。
【００３０】
図４Ｂに示すように、ノブ５００が係脱方向Ａ１へ回動して、回り止めユニット４００を第２の位置にするようにガイド部４３０を移動するように連動させる場合、ラチェットアーム４７０は、サイドリング歯２３０から脱離する。
この場合、ラチェットアーム４７０がサイドリング歯２３０に噛合わないため、ボビン３００の係脱方向Ａ１への回転を制限せず、ひも６００を直接引くことで緩み効果を達成できる。
本実施例において、回り止めユニット４００が第２の位置にある場合、係合歯４６０は噛合歯３３０から脱離して回り止めユニット４００とボビン３００とを結合させないが、
他の実施例において、係合歯４６０と噛合歯３３０は脱離しなくてもよく、ラチェットアーム４７０とサイドリング歯２３０だけが脱離すればよく、
又はラチェットアーム４７０とサイドリング歯２３０は脱離しなくてもよく、係合歯４６０と噛合歯３３０だけが脱離すればよいが、これに限定されない。
【００３１】
図５Ａ及び図５Ｂを参照されたい。
図５Ａは、図１による締結装置１００の切断線５−５に沿う模式的な断面図である。
図５Ｂは、図１による締結装置１００の切断線５−５に沿う別の模式的な断面図である。
【００３２】
図５Ａに示すように、この場合、回り止めユニット４００が第１の位置にある場合、バンプ５２１と第１の保持部４１０及びストッパー部４４１とが互いに当接し、バンプ５２２と第２の保持部４２０及びストッパー部４４３とが互いに当接するため、ノブ５００（図２Ａ参照）と回り止めユニット４００とが係合するので、回り止めユニット４００が引き締め方向Ａ２へ回動する場合、バンプ５２１がストッパー部４４１に、バンプ５２２がストッパー部４４３に力を与えて、回り止めユニット４００の回転を連動する。
逆に、ノブ５００の回転が中止する場合、第１の保持部４１０及び第２の保持部４２０の構造がバンプ５２１、バンプ５２２に当接されてノブ５００と回り止めユニット４００との相対位置関係を一定にするように配置されるため、ノブ５００と回り止めユニット４００の位置が外力（使用者からの力ではなく、使用時の環境中の震動による外力を指す）要因のために任意に移動されて、ひも６００の係脱を引き起こすことを避けることができる。
【００３３】
ノブ５００が係脱方向Ａ１へ回動する場合、ラチェットアーム４７０とサイドリング歯２３０が噛合うため、回り止めユニット４００が回動できないので、バンプ５２１が力を受けて第１の保持部４１０の第１の自由端４１１を絶え間なく押し付け、バンプ５２２が力を受けて第２の保持部４２０第２の自由端４２１を絶え間なく押し付けて、第１の自由端４１１及び第２の自由端４２１が圧力に耐えられなく径方向へ移動し変位することになる。
図５Ｂに示すように、この場合、ノブ５００が回り止めユニット４００に対して回動することができるので、バンプ５２１がストッパー部４４４に当接され及びバンプ５２２がストッパー部４４２に当接され、第１の自由端４１１及び第２の自由端４２１が外力の失いにより復帰する。
従って、ノブ５００が回り止めユニット４００に対して回動する場合、ガイド部４３０が螺旋状レール５３０の間で移動し、回り止めユニット４００を第１の位置から第２の位置へ切り替えるように連動させる。
【００３４】
また、ノブ５００を再び引き締め方向Ａ２へ回転させる場合、
バンプ５２１が第１の自由端４１１に接触してから第１の自由端４１１に力を与え、
バンプ５２２が第２の自由端４２１に接触してから第２の自由端４２１に力を与え、
この時の回り止めユニット４００が第１の位置と第２の位置との間に下がるため、
ラチェットアーム４７０が既にサイドリング歯２３０と対応し、ラチェットアーム４７０とサイドリング歯２３０とが、引き締め方向Ａ２で互いに脱離するが、
ラチェットアーム４７０をまず径方向に沿って移動し変位させる必要がある。
従って、構造配置では、第１の自由端４１１及び第２の自由端４２１を径方向に沿って変位させて、回り止めユニット４００を第１の位置に切り替える。
【００３５】
他の実施例において、第１の保持部４１０及び第２の保持部４２０の構造は、他の形態であってもよい。
また保持部は、ノブに結合される以外、ベースに結合されてもよく、
自由に上がり又は下がらないようにするために、かなりの外力で回り止めユニットとノブとの相対位置を維持することができればよく、保持部及び係合部の数も上記の開示内容に限定されない。
【００３６】
図６、図７Ａ及び図７Ｂを参照されたい。
図６は、本発明の別の実施形態による締結装置１００ａを模式的に示す斜視図である。
図７Ａは、図６の締結装置１００ａの下側を模式的に示す分解図である。
図７Ｂは、図６の締結装置１００ａを上側から模式的に示す分解図である。
【００３７】
締結装置１００ａは、ひも（未図示）を締緩することに用いられ、外殻２００ａ、ボビン３００ａ、ノブ５００ａ及び回り止めユニット４００ａからなる。
外殻２００ａ、ボビン３００ａ、ノブ５００ａ及び回り止めユニット４００ａの構造及び位置作動関係は、大よそ図１〜図５Ｂに記載の外殻２００、ボビン３００、ノブ５００及び回り止めユニット４００と類似であるが、
ボビン３００ａの第１の開口３２１ａ、第２の開口３２２ａ、第１の結び目孔３１１ａ、第１の引き出し孔３１２ａ、第２の結び目孔３１３ａ及び第２の引き出し孔３１４ａの位置関係と第１の開口３２１、及び第２の開口３２２、第１の結び目孔３１１、第１の引き出し孔３１２、第２の結び目孔３１３及び第２の引き出し孔３１４の配列形態とが異なっている。
より詳しくは、本実施例におけるひもは、ボビン３００ａに結合される場合、夾角６０度となるように結合されるが、
図１に示す実施例では、夾角１８０度となるように結合される。
【００３８】
なお、本実施例において、外殻２００ａは、ケース２６０ａに加え、ベース２７０ａを更に含み、ひもが図３Ａ〜図３Ｂの組立形態のようにボビン３００ａに結合されてから、ベース２７０ａとケース２６０ａとを結合させ、保護作用を更に達成できる。
【００３９】
図８Ａ及び図８Ｂを参照されたい。
図８Ａは、本発明の更に１つの実施形態による締結装置のボビン３００ｂを示す斜視図である。
図８Ｂは、図８Ａのボビン３００ｂを模式的に示す断面図である。本実施例において、締結装置の基本構造は、締結装置１００ａと類似であるが、ボビン３００ｂの構造だけが異なるので、ここにボビン３００ｂの斜視図だけを示し、締結装置の他の部分の斜視図を略する。
【００４０】
ボビン３００ｂは、ディスク構造になり、軸心柱（未図示）及びシート部（未図示）を含む。
軸心柱は、第１の開口３２１ｂ及び第２の開口３２２ｂを含む。
シート部は、軸心柱を設けることに用いられ、第１の穿孔３１１ｂ及び第２の穿孔３１２ｂを含み、第１の穿孔３１１ｂが第１の開口３２１ｂと連通し、第２の穿孔３１２ｂが第２の開口３２２と連通する。
【００４１】
ひも（未図示）の一端は、締結装置の外殻における１つのサイドホール、第１の開口３２１ｂ及び第１の穿孔３１１ｂを貫通して外殻の下開口から露出し、また使用者によって下開口から露出するひもを１つの結び目及び１つの糸端となるように結び、最後、この結び目及び糸端が第１の穿孔３１１ｂに残るようにする。
類似的に、ひもの他端は、締結装置の外殻における別のサイドホール、第２の開口３２２ｂ及び第２の穿孔３１２ｂを貫通して外殻の下開口から露出して、使用者によって下開口に露出されるひもを別の結び目及び別の糸端となるように結び、最後、別の結び目及び別の糸端が第２の穿孔３１２ｂに残るようにする。
【００４２】
図１〜図３Ｃに合わせて、図９を参照されたい。
図９は、本発明のまた他の実施形態によるひも取付方法７００の工程を示すフロー図である。ひも取付方法７００は、工程７１０及び工程７２０を含む。
【００４３】
工程７１０において、図１〜図２Ａに示すように、締結装置１００を提供する。
図１〜図２Ａに示すように、締結装置１００は、外殻２００、ボビン３００、ノブ５００及び回り止めユニット４００からなる。
外殻２００は、ケース２６０を含む。ケース２６０は、係合部２５０を含む。ノブ５００は、係合部２５０に噛み合うための係止部５４０を含む。
ボビン３００は、ケース２６０内に設けられる。回り止めユニット４００は、ボビン３００及びノブ５００に結合される。
【００４４】
工程７２０において、ひも結合工程を提供する。
図３Ａ、図３Ｃに示すように、ひも６００の一端及び他端をそれぞれケース２６０及びボビン３００を貫通させて外殻２００から露出させ、使用者が一端及び他端を結んでボビン３００に結合されることに用いられる。
より詳しく、ひも結合工程の場合、ひも６００の一端を１つのサイドホール２２０、第１の開口３２１、第１の結び目孔３１１及び第１の引き出し孔３１２を貫通させて下開口２４０から露出させて使用者が一端を結ぶことに用いられ、
及びひも６００の他端を別のサイドホール２２０、第２の開口３２２、第２の結び目孔３１３及び第２の引き出し孔３１４を貫通させて下開口２４０から露出させて使用者が他端を結ぶことに用いられ、
最後、ひも６００を締結装置１００に取り付けることができる。
【００４５】
上記の実施形態から分かるように、本発明は以下のメリットがある。
【００４６】
一、締結装置は外殻、ボビン、ノブ及び回り止めユニットからなり、外殻とノブとの間の係合関係によって、慣用のケースから貫通してノブに接続される銅柱又はプラスチックカラムを略してよく、締結装置の構造を簡素化し締結装置の締結能力を保持するとの目的を達成できる。
【００４７】
二、ケースの下開口及びボビンの構造配置によって、締結装置が取り付けられた後でひもをボビンに結合させるようにし、製造をより簡単にすることに加え、更に使用者がひもを対象物に貫通させて締結装置に結合させることを可能にし、使用の利便性を向上させる。
【００４８】
三、ガイド部及び螺旋状レールの設置と結合によって、回り止めユニットがノブの回転に伴い位置を変え、更に引き締め又は緩み状態を切り替えるようにすることができる。
【００４９】
四、第１の保持部、第２の保持部の設置によって、回り止めユニットが第１の位置又は第２の位置にある場合、そのノブとの間の相対位置関係を維持し、環境外力によるひも係脱を避けることができる。
【００５０】
本発明の実施形態を前記の通りに開示したが、これは、本発明を限定するものではなく、当業者であれば、本発明の精神と範囲から逸脱しない限り、多様の変更や修飾を加えてもよく、従って、本発明の保護範囲は、特許請求の範囲で指定した内容を基準とするものである。
【符号の説明】
【００５１】
１００、１００ａ                締結装置
２００、２００ａ                外殻
２１０                          収納空間
２２０                          サイドホール
２３０                          サイドリング歯
２４０                          下開口
２５０                          係合部
２６０、２６０ａ                ケース
２７０ａ                        ベース
３００、３００ａ、３００ｂ      ボビン
３１０                          シート部
３１１、３１１ａ                第１の結び目孔
３１１ｂ                        第１の穿孔
３１２、３１２ａ                第１の引き出し孔
３１２ｂ                        第２の穿孔
３１３、３１３ａ                第２の結び目孔
３１４、３１４ａ                第２の引き出し孔
３２０                          軸心柱
３２１、３２１ａ、３２１ｂ      第１の開口
３２２、３２２ａ、３２２ｂ      第２の開口
３３０                          噛合歯
４００、４００ａ                回り止めユニット
４１０                          第１の保持部
４１１                          第１の自由端
４２０                          第２の保持部
４２１                          第１の自由端
４３０                          ガイド部
４４１、４４２、４４３、４４４  ストッパー部
４５０                          連通孔
４６０                          係合歯
４７０                          ラチェットアーム
４８０                          環状本体
５００、５００ａ                ノブ
５１０                          ピラー
５２１、５２２                  バンプ
５３０                          螺旋状レール
５４０                          係止部
６００                          ひも
６１０                          結び目
７００                          ひも取付方法
７１０、７２０                  工程
Ａ１                            係脱方向
Ａ２                            引き締め方向
【図１】
2019526514.tif 000003
【図２Ａ】
2019526514.tif 000004
【図２Ｂ】
2019526514.tif 000005
【図３Ａ】
2019526514.tif 000006
【図３Ｂ】
2019526514.tif 000007
【図３Ｃ】
2019526514.tif 000008
【図４Ａ】
2019526514.tif 000009
【図４Ｂ】
2019526514.tif 000010
【図５Ａ】
2019526514.tif 000011
【図５Ｂ】
2019526514.tif 000012
【図６】
2019526514.tif 000013
【図７Ａ】
2019526514.tif 000014
【図７Ｂ】
2019526514.tif 000015
【図８Ａ】
2019526514.tif 000016
【図８Ｂ】
2019526514.tif 000017
【図９】
2019526514.tif 000018
【国際調査報告】
2019526514.tif 000019
2019526514.tif 000020
2019526514.tif 000021
2019526514.tif 000022
2019526514.tif 000023
2019526514.tif 000024